【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
ユーザに清浄化空気を提供する個人用携帯型呼吸装置であって、
流れ発生器であって、該流れ発生器が濾過又は調整された空気の流れを発生するように構成されている、流れ発生器と、
前記流れ発生器に結合された個人用立体呼吸インターフェースであって、該個人用立体呼吸インターフェースが前記流れ発生器用の吹出口を備え、該個人用立体呼吸インターフェースがユーザの周囲呼吸近接域内に空気の流れを誘導するように構成された、個人用立体呼吸インターフェースと、
前記個人用立体呼吸インターフェースの向きを検出するように構成された１つ以上のセンサと、
該１つ以上のセンサからの信号に基づいて前記装置の動作を調節するように構成されたコントローラを備える装置。
【請求項２】
前記流れ発生器への空気入口が、フィルタであって、該空気入口を通って吸い込まれる空気から粒子を除去するように構成されているフィルタを備えている、請求項１に記載の装置。
【請求項３】
前記フィルタが、ＨＥＰＡフィルタ、エレクトレットフィルタ、イオナイザー清浄器、熱力学殺菌フィルタ、能動的炭素フィルタ及び触媒酸化フィルタのうちいずれか１つ以上を備えている、請求項２に記載の装置。
【請求項４】
前記個人用立体呼吸インターフェースが、エアカーテンに前記誘導された空気の流れを発生して前記ユーザの前記周囲呼吸近接域を未清浄化環境空気から分離するように構成された、１組の分散空気出口を備える、請求項１〜３のいずれか一項に記載の装置。
【請求項５】
前記個人用立体呼吸インターフェースが、前記ユーザの前記周囲呼吸近接域内の前記誘導された空気の流れを未清浄化環境空気から分離するために空気遮蔽を生成するように構成されたさらに１組の空気吹出口を備えている、請求項１〜４のいずれか一項に記載の装置。
【請求項６】
前記さらに１組の空気吹出口が層流化ノズルを備えている、請求項５に記載の装置。
【請求項７】
前記層流化ノズルがハチの巣構造を備えている、請求項６に記載の装置。
【請求項８】
付加的な１組の空気吹出口であって、１つ以上のエアカーテンを生成して前記ユーザの前記周囲呼吸近接域を未清浄化環境空気から分離する付加的な１組の空気吹出口をさらに備えている、請求項１〜７のいずれか一項に記載の装置。
【請求項９】
個人用立体呼吸インターフェースがファッションアクセサリを備えている、請求項１〜８のいずれか一項に記載の装置。
【請求項１０】
前記ファッションアクセサリが、スカーフ、シャツ及びシャツカラーのいずれかを備えている、請求項９に記載の装置。
【請求項１１】
前記ファッションアクセサリが眼鏡、バイザー又はゴーグルを備えている、請求項９に記載の装置。
【請求項１２】
前記ファッションアクセサリがネックレスを備えている、請求項９に記載の装置。
【請求項１３】
前記ネックレスが、前記空気の流れを誘導するために前記ネックレスの長さに沿って複数の吹出口を備えている、請求項１２に記載の装置。
【請求項１４】
前記ファッションアクセサリが、帽子又は前記流れ発生器に結合された１つ以上の空気吹出口を備える帽子の縁を備えている、請求項９に記載の装置。
【請求項１５】
前記個人用立体呼吸インターフェースが、ヘッドセット又はヘッドセットブームを備えている、請求項１〜８のいずれか一項に記載の装置。
【請求項１６】
前記個人用立体呼吸インターフェースが、アンダカラー・フレキシブル・アタッチメント、ハイドレーション（水筒式）バックパック、ノーズクリップ、マウスガード、スポーツバンド及びスライド式マスクのいずれかを備えている、請求項１〜８のいずれか一項に記載の装置。
【請求項１７】
前記装置がウェラブルである、請求項１〜１３のいずれか一項に記載の装置。
【請求項１８】
前記個人用立体呼吸インターフェースが位置づけ可能なグースネックチューブを備えている、請求項１に記載の装置。
【請求項１９】
前記個人用立体呼吸インターフェースがリストバンド及び／又は手袋を備えている、請求項１に記載の装置。
【請求項２０】
清浄化空気が、顔面接触装置なしでユーザに提供される、請求項１〜８、１０、及び１２〜１６のいずれか一項に記載の装置。
【請求項２１】
清浄化空気が、頭接触装置なしでユーザに提供される、請求項１〜４、６、１０及び１３〜１６のいずれか一項に記載の装置。
【請求項２２】
前記流れ発生器が、モータ及びインペラを備えている、請求項１〜２１のいずれか一項に記載の装置。
【請求項２３】
前記流れ発生器が、バッテリ動作のために構成され、かつ前記流れ発生器がバッテリ電源をさらに備えている、請求項２２に記載の装置。
【請求項２４】
前記流れ発生器が、多段ブロワを備えている、請求項１〜２３のいずれか一項に記載の装置。
【請求項２５】
アロマディスペンサーをさらに備え、かつ前記コントローラがエンタテインメント・トリガ信号に応答して前記誘導された空気の流れの中に該アロマディスペンサーからアロマの放出を選択的に起動するように構成されている、請求項１〜２４のいずれか一項に記載の装置。
【請求項２６】
前記コントローラが、前記エンタテインメント・トリガ信号を受信するための通信用インターフェースを備えている、請求項２５に記載の装置。
【請求項２７】
前記通信用インターフェースが、エンタテインメント・コンソールから無線で前記エンタテインメント・トリガ信号を受信するように適応されている、請求項２６に記載の装置。
【請求項２８】
前記アロマディスペンサーがアロマを含有する交換可能なアロマカートリッジを受容するように適応されている、請求項２５〜２７のいずれか一項に記載の装置。
【請求項２９】
前記装置が、異なるエンタテインメント・トリガ信号に応答して異なるアロマを放出するように構成されている、請求項２５〜２８のいずれか一項に記載の装置。
【請求項３０】
前記アロマが、匂い粒子及び／又は味粒子を含む、請求項２５〜２８のいずれか一項に記載の装置。
【請求項３１】
前記コントローラが、前記装置の１つ以上の汚染フィルタの動作を設定するように構成されている、請求項１〜３０のいずれか一項に記載の装置。
【請求項３２】
前記コントローラと結合された１つ以上の空気質センサをさらに備え、前記コントローラが該１つ以上の空気質センサからの信号に応答して前記１つ以上の汚染フィルタの動作を設定するように構成されている、請求項３１に記載の装置。
【請求項３３】
前記コントローラが、前記装置の位置を検出しかつ前記位置の検出に基づいて前記装置の前記１つ以上の汚染フィルタの動作を設定するために位置センサとともに構成されている、請求項３１〜３２のいずれか一項に記載の装置。
【請求項３４】
前記コントローラが通信用インターフェースを含み、前記コントローラが外部気象又は汚染データを要請及び受信しかつ前記受信された外部気象又は汚染データに基づいて前記１つ以上の汚染フィルタの動作を設定するように構成されている、請求項３１〜３３のいずれか一項に記載の装置。
【請求項３５】
前記ユーザの生理的なデータを検出するように構成された１つ以上のユーザセンサをさらに備え、前記コントローラが該１つ以上のユーザセンサからの信号に基づいて前記装置の動作を設定するように構成されている、請求項１〜３４のいずれか一項に記載の装置。
【請求項３６】
前記コントローラが、検出された生理的なデータに基づいた前記装置のアロマディスペンサーの動作のためのエンタテインメント・トリガ信号を発生するように構成されている、請求項３５に記載の装置。
【請求項３７】
前記生理的なデータが、心拍数データ、発汗データ、温度データ、ブレス流量データ、Ｏ２飽和データのいずれか１つ以上を含み、かつ前記１つ以上のユーザセンサが心拍数センサ、湿度センサ、サーミスタ、流れセンサ、酸素濃度計のいずれか１つ以上をそれぞれ備えている、請求項３５〜３６のいずれか一項に記載の装置。
【請求項３８】
前記コントローラが、前記生理的なデータをエンタテインメントコンソールへ通信するために通信用インターフェースを含む、請求項３５〜３６のいずれか一項に記載の装置。
【請求項３９】
前記コントローラが、前記流れ発生器の動作を制御するように構成されている、請求項１〜３８のいずれか一項に記載の装置。
【請求項４０】
外部プログラミング可能なモバイル処理デバイスを用いてデータを送受信するために通信用インターフェースをさらに備えている、請求項１〜３９のいずれか一項に記載の装置。
【請求項４１】
液滴発生器をさらに備え、前記装置のコントローラが前記誘導された空気の流れの中に液滴を注入するために該液滴生成器を制御するように構成されている、請求項１〜４０のいずれか一項に記載の装置。
【請求項４２】
前記コントローラが、エンタテインメント信号に応答して前記液滴を注入する、請求項４１に記載の装置。
【請求項４３】
前記コントローラが、外部エンタテインメントコンソールから前記エンタテインメント信号を受信する、請求項４２に記載の装置。
【請求項４４】
前記液滴が液状水である、請求項４１〜４３のいずれか一項に記載の装置。
【請求項４５】
少なくとも１つの加熱又は冷却要素をさらに備え、前記装置の前記コントローラが該少なくとも１つの加熱又は冷却要素の動作を設定することによって前記誘導された空気の流れの温度を変化させるように構成されている、請求項１〜４４のいずれか一項に記載の装置。
【請求項４６】
前記コントローラが、エンタテインメント信号に応答して前記温度を変化させる、請求項４５に記載の装置。
【請求項４７】
前記コントローラが、外部エンタテインメントコンソールから前記エンタテインメント信号を受信する、請求項４６に記載の装置。
【請求項４８】
前記１つ以上のセンサが、風向を検出するようにさらに構成され、かつ前記装置の前記コントローラが該１つ以上のセンサからの別の信号に基づいて前記装置の動作を調節するように構成されている、請求項１〜４７のいずれか一項に記載の装置。
【請求項４９】
前記１つ以上のセンサが、風を検出する風力計又は個人用立体呼吸インターフェースの向きを検出する加速度計を含む、請求項４８に記載の装置。
【請求項５０】
前記装置の前記コントローラが、前記検出された風及び／又は前記個人用立体呼吸インターフェースの向きに基づいて前記流れ発生器の動作の変化を制御するように構成されている、請求項４８または４９のいずれか一項に記載の装置。
【請求項５１】
前記動作の変化が、流れ方向の変化及び流速の変化のいずれか片方を含む、請求項５０に記載の装置。
【請求項５２】
前記コントローラのプロセッサが、検出された接近風の関数として最適な空気ノズル向き及び／又は空気流速を決定するように構成されている、請求項５１に記載の装置。
【請求項５３】
前記流れ発生器が、１０ｍｍ未満の幅を有する、請求項１〜５２のいずれか一項に記載の装置。
【手続補正２】
【補正対象書類名】明細書
【補正対象項目名】０１６９
【補正方法】変更
【補正の内容】
【０１６９】
したがって、多数の改変が例示的な実施形態に対してなされてもよいこと及び他の配置が本技術の趣旨及び範囲から逸脱しないで工夫されてもよいことが理解されるべきである。
［実施形態例１］
ユーザに清浄化空気を提供する個人用携帯型呼吸装置であって、
流れ発生器であって、該流れ発生器が濾過又は調整された空気の流れを発生するよう
構成されている、流れ発生器と、
前記流れ発生器に結合された個人用立体呼吸インターフェースであって、該個人用立体呼吸インターフェースが前記流れ発生器用の吹出口を備え、該個人用立体呼吸インターフェースがユーザの周囲呼吸近接域内に空気の流れを誘導するように構成された、個人用立体呼吸インターフェースを備える装置。
前記個人用立体呼吸インターフェースの向きを検出するよに構成された１つ以上のセンサと、
該１つ以上のセンサからの信号に基づいて前記装置の向きを調節するように構成されたコントローラを備える装置。
［実施形態例２］
前記流れ発生器への空気入口が、フィルタであって、該入口を通って吸い込まれる空気から粒子を除去するように構成されているフィルタを備えている、実施形態例１に記載の装置。
［実施形態例３］
前記フィルタが、前記入口を通って吸い込まれる空気から揮発性ガス及び臭いを除去するように構成されている、実施形態例２に記載の装置。
［実施形態例４］
前記フィルタが、前記入口を通って吸い込まれる空気からバクテリア及びウイルスを除去するように構成されている、実施形態例２〜３のいずれか一項に記載の装置。
［実施形態例５］
前記フィルタが、ＨＥＰＡフィルタ、エレクトレットフィルタ、イオナイザー清浄器、
熱力学殺菌フィルタ、能動的炭素フィルタ及び触媒酸化フィルタのうちいずれか１つ以上を備えている、実施形態例２〜４のいずれか一項に記載の装置。
［実施形態例６］
前記個人用立体呼吸インターフェースが、エアカーテンに前記誘導された空気の流を発生して前記ユーザの前記周囲呼吸近接域を未清浄化環境空気から分離するように構成された、１組の分散空気出口を備える、実施形態例１〜５のいずれか一項に記載の装置。
［実施形態例７］
前記個人用立体呼吸インターフェースが、前記ユーザの前記周囲呼吸近接域内の前記誘導された空気の流れを未清浄化環境空気から分離するために空気遮蔽を生成するように構成されたさらに１組の空気吹出口を備えている、実施形態例１〜６のいずれか一項に記載の装置。
［実施形態例８］
前記さらに１組の空気吹出口が層流化ノズルを備えている、実施形態例７に記載の装置。
［実施形態例９］
前記層流化ノズルがハチの巣構造を備える、実施形態例８に記載の装置。
［実施形態例１０］
付加的な１組の空気吹出口であって、１つ以上のエアカーテンを生成して前記ユーザの前記周囲呼吸近接域を未清浄化環境空気から分離するために付加的な１組の空気吹出口をさらに備えている、実施形態例１〜９のいずれか一項に記載の装置。
［実施形態例１１］
個人用立体呼吸インターフェースがファッションアクセサリを備えている、実施形態例１〜１０のいずれか一項に記載の装置。
［実施形態例１２］
前記ファッションアクセサリがスカーフを備えている、実施形態例１１に記載の装置。
［実施形態例１３］
前記ファッションアクセサリがシャツを備えている、実施形態例１１に記載の装置。
［実施形態例１４］
前記ファッションアクセサリがシャツカラーを備える、実施形態例１１に記載の装置。
［実施形態例１５］
前記ファッションアクセサリが眼鏡、バイザー又はゴーグルを備えている、実施形態例１１に記載の装置。
［実施形態例１６］
前記ファッションアクセサリがネックレスを備えている、実施形態例１１に記載の装置。
［実施形態例１７］
前記ネックレスが、前記空気の流れを誘導するために前記ネックレスの長さに沿って複数の吹出口を備えている、実施形態例１６に記載の装置。
［実施形態例１８］
前記ファッションアクセサリが帽子を備えている、実施形態例１１に記載の装置。
［実施形態例１９］
前記帽子の縁が、前記流れ発生器に結合された１つ以上の空気吹出口を備えている、実施形態例１８に記載の装置。
［実施形態例２０］
前記個人用立体呼吸インターフェースがヘッドセットを備えている、実施形態例１〜１０のいずれか一項に記載の装置。
［実施形態例２１］
前記個人用立体呼吸インターフェースがヘッドセットブームを備える、実施形態例１〜１０のいずれか一項に記載の装置。
［実施形態例２２］
前記個人用立体呼吸インターフェースが、アンダカラー・フレキシブル・アタッチメントを備えている、実施形態例１〜１０のいずれか一項に記載の装置。
［実施形態例２３］
個人用携帯型呼吸装置がハイドレーション（水筒式）バックパックを備えている、実施形態例１〜１０のいずれか一項に記載の装置。
［実施形態例２４］
個人用携帯型呼吸装置がノーズクリップを備えている、実施形態例１〜１０のいずれか一項に記載の装置。
［実施形態例２５］
個人用携帯型呼吸装置がマウスガードを備えている、実施形態例１〜１０のいずれか一項に記載の装置。
［実施形態例２６］
個人用携帯型呼吸装置がスポーツバンドを備えている、実施形態例１〜１０のいずれか一項に記載の装置。
［実施形態例２７］
個人用携帯型呼吸装置がスライド式マスクを備えている、実施形態例１〜１０のいずれか一項に記載の装置。
［実施形態例２８］
前記装置がウェラブルである、実施形態例１〜１７及び２３〜２７のいずれか一項に記載の装置。
［実施形態例２９］
前記個人用立体呼吸インターフェースが位置づけ可能なグースネックチューブを備えている、実施形態例１に記載の装置。
［実施形態例３０］
前記個人用立体呼吸インターフェースがリストバンド及び／又は手袋を備えている、実施形態例１に記載の装置。
［実施形態例３１］
清浄化空気が、顔面接触装置なしでユーザに提供される、実施形態例１〜１０、１２、１６〜２０及び２１〜２３、並びに２６のいずれか一項に記載の装置。
［実施形態例３２］
清浄化空気が、頭接触装置なしでユーザに提供される、実施形態例１〜６、８、１２及び１７〜２３のいずれか一項に記載の装置。
［実施形態例３３］
前記流れ発生器が、プレブロワ・フィルタ、ブロワ及びポストブロワ・フィルタを備えている、実施形態例１〜３２のいずれか一項に記載の装置。
［実施形態例３４］
前記ブロワが、モータ及びインペラを備えている、実施形態例３３に記載の装置。
［実施形態例３５］
前記流れ発生器が、モータ及びインペラを備えている、実施形態例１〜３３のいずれか一項に記載の装置。
［実施形態例３６］
前記流れ発生器が、バッテリ動作のために構成され、かつ前記流れ発生器がバッテリ電源をさらに備えている、実施形態例３５に記載の装置。
［実施形態例３７］
前記流れ発生器が、多段ブロワを備えている、実施形態例１〜３６のいずれか一項に記載の装置。
［実施形態例３８］
前記流れ発生器が、並列流れ構成で複数のインペラを備えている、実施形態例３７に記載の装置。
［実施形態例３９］
前記流れ発生器が、直列流れ構成で複数のインペラを備えている、実施形態例３７に記載の装置。
［実施形態例４０］
前記ブロワのロータが、遠心ステージ及び１つ以上の軸流ステージを備えている、実施形態例３７〜３８のいずれか一項に記載の装置。
［実施形態例４１］
アロマディスペンサーをさらに備え、かつ前記コントローラがエンタテインメント・トリガ信号に応答して前記誘導された空気の流れの中に該アロマディスペンサーからアロマの放出を選択的に起動するように構成されている、実施形態例１〜４０のいずれか一項に記載の装置。
［実施形態例４２］
前記コントローラが、前記エンタテインメント・トリガ信号を受信するための通信用インターフェースを備える、実施形態例４１に記載の装置。
［実施形態例４３］
前記通信用インターフェースが、エンタテインメント・コンソールから無線で前記エンタテインメント信号を受信するように適応されている、実施形態例４２に記載の装置。
［実施形態例４４］
前記アロマディスペンサーがアロマを含有する交換可能なアロマカートリッジを受容するように適応されている、実施形態例４１〜４３のいずれか一項に記載の装置。
［実施形態例４５］
前記装置が、異なるエンタテインメント・トリガ信号に応答して異なるアロマを放出するように構成されている、実施形態例４１〜４４のいずれか一項に記載の装置。
［実施形態例４６］
前記アロマが、匂い粒子及び／又は味粒子を含む、実施形態例４１〜４４のいずれか一項に記載の装置。
［実施形態例４７］
前記コントローラが、前記装置の１つ以上の汚染フィルタの動作を設定するように構成されている、実施形態例１〜４６のいずれか一項に記載の装置。
［実施形態例４８］
前記コントローラと結合された１つ以上の空気質センサをさらに備え、前記コントローラが該１つ以上の空気質センサからの信号に応答して前記１つ以上の汚染フィルタの動作を設定するように構成されている、実施形態例４７に記載の装置。
［実施形態例４９］
前記コントローラが、前記装置の位置を検出しかつ前記位置の検出に基づいて前記装置の前記１つ以上の汚染フィルタの動作を設定するために位置センサとともに構成されている、実施形態例４７〜４８のいずれか一項に記載の装置。
［実施形態例５０］
前記コントローラが通信用インターフェースを含み、前記コントローラが外部気象又は汚染データを要請及び受信しかつ前記受信された外部気象又は汚染データに基づいて前記１つ以上の汚染フィルタの動作を設定するように構成されている、実施形態例４７〜４９のいずれか一項に記載の装置。
［実施形態例５１］
前記ユーザの生理的なデータを検出するように構成された１つ以上のユーザセンサをさらに備え、前記コントローラが該１つ以上のユーザセンサからの信号に基づいて前記装置の動作を設定するように構成されている、実施形態例１〜５０のいずれか一項に記載の装置。
［実施形態例５２］
前記コントローラが、検出された生理的なデータに基づいた前記装置のアロマディスペンサーの動作のためのエンタテインメント・トリガ信号を発生するように構成されている、実施形態例５１に記載の装置。
［実施形態例５３］
前記生理的なデータが、心拍数データ、発汗データ、温度データ、ブレス流量データ、
Ｏ２飽和データのいずれか１つ以上を含み、かつ前記１つ以上のユーザセンサが心拍数センサ、湿度センサ、サーミスタ、流れセンサ、酸素濃度計のいずれか１つ以上をそれぞれ備えている、実施形態例５１〜５２のいずれか一項に記載の装置。
［実施形態例５４］
前記コントローラが、前記生理的なデータをエンタテインメントコンソールへ通信するために通信用インターフェースを含む、実施形態例５２〜５３のいずれか一項に記載の装置。
［実施形態例５５］
前記コントローラが、前記流れ発生器の動作を制御するように構成されている、実施形態例１〜５４のいずれか一項に記載の装置。
［実施形態例５６］
外部プログラミング可能なモバイル処理デバイスを用いてデータを送受信するために通信用インターフェースをさらに備えている、実施形態例１〜５５のいずれか一項に記載の装置。
［実施形態例５７］
液滴発生器をさらに備え、前記装置のコントローラが前記誘導された空気の流れの中に液滴を注入するために該液滴生成器を制御するように構成されている、実施形態例１〜５６のいずれか一項に記載の装置。
［実施形態例５８］
前記コントローラが、エンタテインメント信号に応答して前記液滴を注入する、実施形態例５７に記載の装置。
［実施形態例５９］
前記コントローラが、外部エンタテインメントコンソールから前記エンタテインメント信号を受信する、実施形態例５８に記載の装置。
［実施形態例６０］
前記液滴が液状水である、実施形態例５７〜５９のいずれか一項に記載の装置。
［実施形態例６１］
少なくとも１つの加熱又は冷却要素をさらに備え、前記装置の前記コントローラが該加熱又は冷却要素の動作を設定することによって前記誘導された空気の流れの温度を変化させるように構成されている、実施形態例１〜６０のいずれか一項に記載の装置。
［実施形態例６２］
前記コントローラが、エンタテインメント信号に応答して前記温度を変化させる、実施形態例６１に記載の装置。
［実施形態例６３］
前記コントローラが、外部エンタテインメントコンソールから前記エンタテインメント信号を受信する、実施形態例６２に記載の装置。
［実施形態例６４］
前記１つ以上のセンサが、風向を検出するようにさらに構成され、かつ
前記装置の前記コントローラが該１つ以上のセンサからの別の信号に基づいて前記装置の動作を調節するように構成されている、実施形態例１〜６３のいずれか一項に記載の装置。
［実施形態例６５］
前記１つ以上のセンサが、風を検出する風力計又は個人用立体呼吸インターフェースの向きを検出する加速度計を含む、実施形態例６４に記載の装置。
［実施形態例６６］
前記装置の前記コントローラが、前記検出された風及び／又は前記個人用立体呼吸インターフェースの向きに基づいて前記流れ発生器の動作の変化を制御するように構成されている、実施形態例６４〜６５のいずれか一項に記載の装置。
［実施形態例６７］
前記動作の変化が、流れ方向の変化及び流速の変化のいずれか片方を含む、実施形態例６６に記載の装置。
［実施形態例６８］
前記コントローラのプロセッサが、検出された接近風の関数として最適な空気ノズル向き及び／又は空気流速を決定するように構成されている、実施形態例６７に記載の装置。
［実施形態例６９］
前記流れ発生器が、１０ｍｍ未満の幅を有する、実施形態例１〜６８のいずれか一項に記載の装置。
［実施形態例７０］
感覚粒子を含有する空気をユーザに提供する個人用エンタテインメント呼吸装置であって、
携帯型流れ発生器であって、空気の流れを生成するように構成された携帯型流れ発生器と、
該携帯型流れ発生器に結合された個人用立体呼吸インターフェースであって、該個人用立体呼吸インターフェースが前記携帯型流れ発生器用の吹出口を備え、該個人用立体呼吸インターフェースがユーザの周囲呼吸近接域内に前記空気の流れを誘導するように構成された、個人用立体呼吸インターフェースと、
コントローラと、
感覚粒子ディスペンサーを備え、
前記コントローラが、エンタテインメント・トリガ信号に応答して前記誘導された空気の流れの中へ前記感覚粒子ディスペンサーから感覚粒子の放出を選択的に起動するように構成されている装置。
［実施形態例７１］
前記コントローラが、通信用インターフェースであって、エンタテインメントコンソールと結合可能である通信用インターフェースを備えている、実施形態例７０に記載の装置。
［実施形態例７２］
前記通信用インターフェースが無線通信用インターフェースを備えかつ前記トリガー信号が前記エンタテインメントコンソールから受信される無線信号を含む、実施形態例７１に記載の装置。
［実施形態例７３］
前記エンタテインメント・トリガ信号が、エンタテインメントコンソールのビデオゲームのイベント又はビデオのイベントのいずれか片方と同期される、実施形態例７０〜７２のいずれか一項に記載の装置。
［実施形態例７４］
前記感覚粒子ディスペンサーが、アロマディスペンサーを備えている、実施形態例７０〜７３のいずれか一項に記載の装置。
［実施形態例７５］
前記感覚粒子ディスペンサーが、液滴ディスペンサーを備えている、実施形態例７０〜７４のいずれか一項に記載の装置。
［実施形態例７６］
前記感覚粒子ディスペンサーが、交換可能なアロマカートリッジ及び／又は液滴カートリッジを受容するように適応されている、実施形態例７０〜７５のいずれか一項に記載の装置。
［実施形態例７７］
前記コントローラが、異なるエンタテインメント・トリガ信号に応答して異なる感覚粒子を放出するために前記感覚粒子ディスペンサーを制御するように構成されている、実施形態例７０〜７６のいずれか一項に記載の装置。
［実施形態例７８］
前記コントローラが、エンタテインメント信号に応答して前記流れ発生器の流量に対する変化を制御するようにさらに構成されている、実施形態例７０〜７７のいずれか一項に記載の装置。
［実施形態例７９］
前記ユーザの生理的なデータを検出するように構成された１つ以上のユーザセンサをさらに備え、前記コントローラが該１つ以上のセンサからの信号にに基づいて前記装置の動作を設定するように構成されている、実施形態例７０〜７８のいずれか一項に記載の装置。
［実施形態例８０］
前記コントローラが、検出された生理的なデータに基づいて前記装置の前記感覚粒子ディスペンサーの動作のためのエンタテインメント・トリガ信号を発生するように構成されている、実施形態例７９に記載の装置。
［実施形態例８１］
前記生理的なデータが、心拍数データ、発汗データ、温度データ、ブレス流量データ、
Ｏ２飽和データのいずれか１つ以上を含み、前記１つ以上のユーザセンサが、心拍数センサ、湿度センサ、サーミスタ、流れセンサ、酸素濃度計のいずれか１つ以上をそれぞれ備えている、実施形態例７９〜８０のいずれか一項に記載の装置。
［実施形態例８２］
前記コントローラが、エンタテインメントコンソールへ前記生理的なデータを通信するように構成されている、実施形態例７０〜８１のいずれか一項に記載の装置。
［実施形態例８３］
加熱要素をさらに備え、かつ前記コントローラがエンタテインメント信号に応答して前記誘導された空気の流れの温度を設定するために該加熱要素を制御するように構成されている、実施形態例７０〜８２のいずれか一項に記載の装置。
［実施形態例８４］
前記エンタテインメント信号が、エンタテインメントコンソールから前記コントローラによって受信される、実施形態例８３に記載の装置。